(57)【要約】【課題】アプリケーションの画面の視認性を維持しつつ、ソフトウェアキーボードを表示すること。【解決手段】本発明の情報処理端末は、２つのディスプレイと、情報処理端末の姿勢を検知する姿勢検知部と、前記情報処理端末の姿勢が前記２つのディスプレイを縦に並べて配置する特定姿勢であれば、下側に配置されたディスプレイにソフトウェアキーボードを表示する制御部と、を有する。【選択図】図３
2013069203.tif 000002
【特許請求の範囲】
【請求項１】
２つのディスプレイと、
情報処理端末の姿勢を検知する姿勢検知部と、
前記情報処理端末の姿勢が前記２つのディスプレイを縦に並べて配置する特定姿勢であれば、下側に配置されたディスプレイにソフトウェアキーボードを表示する制御部と、を有する情報処理端末。
【請求項２】
前記制御部は、
前記特定姿勢において、前記２つのディスプレイの一方に第１のアプリケーションに関する表示データが表示されている状態で、前記第１のアプリケーションに関する表示データの入力エリアが指定された場合に、前記ソフトウェアキーボードを下側に配置されたディスプレイに表示する、請求項１に記載の情報処理端末。
【請求項３】
前記制御部は、
前記特定姿勢において、前記２つのディスプレイの一方に前記第１のアプリケーションに関する表示データが表示されている状態で、前記入力エリアが指定された場合、前記第１のアプリケーションに関する表示データを上側に配置されたディスプレイに表示すると共に、前記ソフトウェアキーボードを下側に配置されたディスプレイに表示する、請求項２に記載の情報処理端末。
【請求項４】
前記制御部は、
前記特定姿勢において、前記２つのディスプレイの一方に前記第１のアプリケーションに関する表示データが表示され、他方に第２のアプリケーションに関する表示データが表示されている状態で、前記入力エリアが指定された場合、前記第２のアプリケーションに関する表示データについては、上側に配置されたディスプレイに縮小表示する、請求項３に記載の情報処理端末。
【請求項５】
前記制御部は、
前記特定姿勢において、前記２つのディスプレイの一方に前記第１のアプリケーションに関する表示データが表示され、他方に前記第２のアプリケーションに関する表示データが表示されている状態で、前記入力エリアが指定された場合、前記第２のアプリケーションに関する表示データについては、予め決められた種類であれば、上側に配置されたディスプレイに縮小表示する、請求項３に記載の情報処理端末。
【請求項６】
前記制御部は、
前記特定姿勢において、ユーザの操作に応じて、前記第２のアプリケーションに関する表示データを上側に配置されたディスプレイに縮小表示する際の位置およびサイズを変更する、請求項４または５に記載の情報処理端末。
【請求項７】
前記制御部は、
前記特定姿勢において、前記ソフトウェアキーボードの表示前に、前記第１のアプリケーションに関する表示データが下側に配置されたディスプレイに表示されていた場合、前記ソフトウェアキーボードの操作が終了すると、前記第１のアプリケーションに関する表示データを下側に配置されたディスプレイに戻して表示する、請求項４から６のいずれか１項に記載の情報処理端末。
【請求項８】
前記制御部は、
前記特定姿勢において、前記ソフトウェアキーボードの表示前に、前記第１のアプリケーションに関する表示データが下側に配置されたディスプレイに表示されていた場合、前記ソフトウェアキーボードの操作が終了すると、前記第１および第２のアプリケーションに関する表示データを表示する際の輝度差が所定の閾値以下であれば、前記第１のアプリケーションに関する表示データを下側に配置されたディスプレイに戻して表示する、請求項４から６のいずれか１項に記載の情報処理端末。
【請求項９】
２つのディスプレイを有する情報処理端末による表示制御方法であって、
前記情報処理端末の姿勢を検知し、
前記情報処理端末の姿勢が前記２つのディスプレイを縦に並べて配置する特定姿勢であれば、下側に配置されたディスプレイにソフトウェアキーボードを表示する、表示制御方法。
【発明の詳細な説明】
【技術分野】
【０００１】
本発明は、情報処理端末およびその表示制御方法に関する。
【背景技術】
【０００２】
最近の情報処理端末の中には、ディスプレイにソフトウェアキーボードを表示し、文字や記号等の情報を入力するものも増えている。
【０００３】
ただし、ソフトウェアキーボードを表示すると、文字や記号等の情報を入力する入力エリアが見えなくなってしまう可能性がある。
【０００４】
そこで、特許文献１には、ディスプレイに表示する画面を２つの分割画面に分割し、入力エリアが指定された場合には、その入力エリアを含む分割画面とは反対側の分割画面にソフトウェアキーボードを表示する技術が記載されている。
【先行技術文献】
【特許文献】
【０００５】
【特許文献１】特開平１１−３２７７１５号公報
【発明の概要】
【発明が解決しようとする課題】
【０００６】
ところで、近年、２つのディスプレイを備えた２画面端末と呼ばれる情報処理端末がある。
【０００７】
２画面端末の場合、２つのディスプレイの各々に異なるアプリケーションに関する表示データを表示することが可能である。
【０００８】
そのため、２画面端末において、２つのディスプレイのいずれかにアプリケーションに関する表示データを表示している状態で、そのアプリケーションに関する表示データの入力エリアが指定された場合、特許文献１に記載の技術を適用して、ソフトウェアキーボードを表示することも可能である。
【０００９】
しかし、特許文献１に記載の技術においては、入力エリアが指定されたアプリケーションに関する表示データを表示しているディスプレイにソフトウェアキーボードが表示される。そのため、そのアプリケーションの画面の一部が見えなくなり視認性を損ねることになる。
【００１０】
また、特許文献１に記載の技術においては、入力エリアが下側の分割画面に存在する場合、上側の分割画面にソフトウェアキーボードを表示する。その場合、ソフトウェアキーボードの操作時に、操作するためのオブジェクトや手指の配置状況によっては、下側の分割画面に対する視認性を損ねることになる。
【００１１】
そこで、本発明の目的は、上述した課題を解決し、アプリケーションの画面の視認性を維持しつつ、ソフトウェアキーボードを表示することができる情報処理端末およびその表示制御方法を提供することにある。
【課題を解決するための手段】
【００１２】
本発明の情報処理端末は、
２つのディスプレイと、
情報処理端末の姿勢を検知する姿勢検知部と、
前記情報処理端末の姿勢が前記２つのディスプレイを縦に並べて配置する特定姿勢であれば、下側に配置されたディスプレイにソフトウェアキーボードを表示する制御部と、を有する。
【００１３】
本発明の表示制御方法は、
２つのディスプレイを有する情報処理端末による表示制御方法であって、
前記情報処理端末の姿勢を検知し、
前記情報処理端末の姿勢が前記２つのディスプレイを縦に並べて配置する特定姿勢であれば、下側に配置されたディスプレイにソフトウェアキーボードを表示する。
【発明の効果】
【００１４】
本発明によれば、アプリケーションの画面の視認性を維持しつつ、ソフトウェアキーボードを表示することができるという効果が得られる。
【図面の簡単な説明】
【００１５】
【図１】本発明の第１および第２の実施形態の情報処理端末の外観図である。
【図２】本発明の第１および第２の実施形態の情報処理端末の外観図である。
【図３】本発明の第１および第２の実施形態の情報処理端末の機能ブロック図である。
【図４】本発明の第１の実施形態の情報処理端末の動作の概要を説明する図である。
【図５】本発明の第１の実施形態の情報処理端末の動作の概要を説明する図である。
【図６】本発明の第１の実施形態の情報処理端末の動作の流れを説明するフロー図である。
【図７】本発明の第２の実施形態の情報処理端末の動作の概要を説明する図である。
【図８】本発明の第２の実施形態の情報処理端末の動作の概要を説明する図である。
【図９】本発明の第２の実施形態の情報処理端末の動作の流れを説明するフロー図である。
【発明を実施するための形態】
【００１６】
以下に、本発明を実施するための形態について図面を参照して説明する。
【００１７】
図１および図２は、本実施形態の情報処理端末１０の外観図である。
【００１８】
図１および図２に示すように、本実施形態の情報処理端末１０は、互いに開閉可能に接続された２つの筐体１１−１，１１−２からなり、各筐体１１−１，１１−２のそれぞれにディスプレイ１２−１，１２−２を備えた２画面端末である。
【００１９】
情報処理端末１０の利用スタイルとしては、大別して、図１に示すように、情報処理端末１０の有する２つのディスプレイ１２−１，１２−２を横に並ぶように配置した、本のように利用するスタイル（以下、ブックスタイルと称す）と、図２に示すように、２つのディスプレイ１２−１，１２−２を縦に並ぶように配置した、ノート型ＰＣ（Personal Computer）のように利用するスタイル（以下、ＰＣスタイルと称す）と、の２つが存在する。
【００２０】
なお、図１および図２においては、ディスプレイ１２−１には、インターネット上のＷｅｂページなどを検索する検索サイトのアプリケーションに関する表示データが表示されている。この検索サイトには、文字や記号等の情報を入力する入力エリアＸが含まれている。また、ディスプレイ１２−２には、ゲームのアプリケーションに関する表示データが表示されている。
【００２１】
図３は、本実施形態の情報処理端末１０の機能ブロック図である。
【００２２】
図３に示すように、本実施形態の情報処理端末１０は、ディスプレイ１２−１，１２−２と、制御部１３と、姿勢センサ（姿勢検知部）１４と、を有している。
【００２３】
ディスプレイ１２−１，１２−２は、画面を表示する機能と、ユーザの指やペンによるタッチ操作を検出する機能と、を有するタッチパネル式のディスプレイである。なお、ディスプレイ１２−１，１２−２は、制御部１３からの制御で指示を受けた表示データを画面上に表示し、また、タッチ操作を検出した位置を表すタッチ入力情報を制御部１３に通知する。
【００２４】
制御部１３は、アプリケーションを起動してその画面をディスプレイ１２−１，１２−２に表示し、また、アプリケーションの処理を実行する。
【００２５】
姿勢センサ１４は、３軸加速度センサ等であり、情報処理端末１０の姿勢を検知し、検知した姿勢を表す姿勢情報（各軸の加速度の情報等）を制御部１３に通知する。
【００２６】
制御部１３は、姿勢センサ１４からの姿勢情報を基に、情報処理端末１０の利用スタイルがブックスタイルまたはＰＣスタイルのどちらであるかを判断する。さらに、ブックスタイルであれば、２つのディスプレイ１２−１，１２−２が右側または左側のどちらに配置されているかも判断し、また、ＰＣスタイルであれば、２つのディスプレイ１２−１，１２−２が上側または下側のどちらに配置されているかも判断する。
【００２７】
ただし、例えば、情報処理端末１０の開閉角度を１８０度にして机の上などの平面上に置いた状態で起動した場合には、情報処理端末１０の利用スタイルを判断できない可能性がある。その場合は、制御部１３は、情報処理端末１０の利用スタイルを判断するために、ディスプレイ１２にメッセージを表示する等して、情報処理端末１０を持ち上げて傾けることをユーザに促せば良い。
【００２８】
ここで、ＰＣスタイルの場合、図２に示したように、情報処理端末１０の２つのディスプレイ１２−１，１２−２が縦に並べて配置される。そのため、ソフトウェアキーボードを表示する場合、２つのディスプレイ１２−１，１２−２のうち下側に配置されたディスプレイに表示すれば、上側に配置されたディスプレイに表示されたアプリケーションの画面は、たとえソフトウェアキーボードの操作中であっても変わらずに表示領域を確保した状態で表示することができる。
【００２９】
そこで、制御部１３は、ＰＣスタイルの場合、２つのディスプレイ１２−１，１２−２が縦に並べて配置されることを利用して、ソフトウェアキーボードを下側に配置されたディスプレイに表示する。
【００３０】
以下、本実施形態の情報処理端末１０の動作について説明する。
【００３１】
図４および図５は、本実施形態の情報処理端末１０の動作の概要を説明する図である。
【００３２】
図４では、ＰＣスタイルにおいて、入力エリアＸを含む検索サイトのアプリケーションに関する表示データが上側のディスプレイ１２−１に表示され、下側のディスプレイ１２−２にゲームのアプリケーションに関する表示データが表示されている（状態Ａ１）。
【００３３】
この状態Ａ１で、上側のディスプレイ１２−１上の検索サイトの入力エリアＸがタップ操作によって指定されると、制御部１３は、下側のディスプレイ１２−２にソフトウェアキーボードを表示する（状態Ａ２）。このとき、下側のディスプレイ１２−２においては、ゲームの画面の上にソフトウェアキーボードの画面が重ねられた状態となっている。この重複表示とは、制御部１３が上面に位置する表示データのみの描画処理を行うことであってもよいが、例えば下面に存在することになるゲームの画面が、上面に存在するソフトウェアキーボートの画面を通して少し視認できる程度とする半透過表示となるような描画処理であってもよい。また、半透過の有無に関らず、この重複表示の状態において、ソフトウェアキーボードの画面の終了指示を行った場合、そのディスプレイ１２−２上に表示されていたゲームの画面が再び表示されることとなる。
【００３４】
この重複表示により、検索サイトの画面は、たとえソフトウェアキーボードの操作中であっても表示状態を維持することが可能である。なお表示状態を維持するとは、他の表示用データ等が存在したとしても、当該検索サイトを描画する表示領域を確保したまま描画処理を行うことができることを示す。そのため、ユーザは、検索サイトの画面全体を見ながら、ソフトウェアキーボードを操作して文字や記号等を入力することができる。
【００３５】
以降、ソフトウェアキーボードの操作が終了した場合は、制御部１３は、下側のディスプレイ１２−２上のソフトウェアキーボードの表示データの表示処理を中止して、ディスプレイ１２−１，１２−２をソフトウェアキーボードの表示前の元の状態Ａ１に戻す（状態Ａ３）。
【００３６】
なお、ソフトウェアキーボードの操作の終了は、例えば、検索サイトの場合、検索キー（図中、入力エリアＸの右側のキー）がタップされたこと、検索サイトの入力エリアＸ以外のエリアがタップされたこと等で判断しても良い。または、筐体１１−１または１１−２上に物理的に配置した特定のキーが押下されたこと、ディスプレイ１２−１または１２−２上に表示した特定のキーがタップされたこと等で判断しても良い。
【００３７】
一方、図５では、ＰＣスタイルにおいて、入力エリアＸを含む検索サイトのアプリケーションに関する表示データが下側のディスプレイ１２−２に表示され、上側のディスプレイ１２−１にゲームのアプリケーションに関する表示データが表示されている（状態Ｂ１）。
【００３８】
この状態Ｂ１で、下側のディスプレイ１２−２上の検索サイトの入力エリアＸがタップ操作によって指定されると、制御部１３は、検索サイトを一時的に上側のディスプレイ１２−１に移動させて表示すると共に、下側のディスプレイ１２−２にソフトウェアキーボードを表示する（状態Ｂ２）。このとき、上側のディスプレイ１２−１においては、ゲームの画面の上に検索サイトの画面が重ねられた状態となっている。
【００３９】
これにより、検索サイトの画面は、たとえソフトウェアキーボードの操作中であっても表示状態が維持される。そのため、ユーザは、検索サイトの画面全体を見ながら、ソフトウェアキーボードを操作して文字や記号等を入力することができる。
【００４０】
以降、ソフトウェアキーボードの操作が終了した場合は、制御部１３は、下側のディスプレイ１２−２上のソフトウェアキーボードの表示データの表示処理を終了すると共に、上側のディスプレイ１２−１に移動させた検索サイトを元の下側のディスプレイ１２−２に戻して表示して、ディスプレイ１２−１，１２−２をソフトウェアキーボードの表示前の元の状態Ｂ１に戻す（状態Ｂ３）。
【００４１】
これにより、ソフトウェアキーボードを操作する前後での各ディスプレイ上で表示されていた画面それぞれの表示位置の変化が生じないため、ユーザは、ソフトウェアキーボード操作の前後において違和感を受けることなく、情報処理端末１０の使用を継続することが可能になる。
【００４２】
図６は、本実施形態の情報処理端末１０の動作の流れを説明するフロー図である。
【００４３】
図６において、制御部１３は、姿勢センサ１４からの姿勢情報を監視すると共に、２つのディスプレイ１２−１，１２−２からのタッチ入力情報を監視している。
【００４４】
まず、制御部１３は、姿勢センサ１４からの姿勢情報を基に、情報処理端末１０の利用スタイルがＰＣスタイルであるかを判断する（ステップＳ１１）。ＰＣスタイルである場合は、さらに、２つのディスプレイ１２−１，１２−２が上側または下側のどちらに配置されているかも判断する。
【００４５】
ステップＳ１１において、ＰＣスタイルである場合、制御部１３は、ディスプレイ１２−１，１２−２からのタッチ入力情報を基に、ディスプレイ１２−１，１２−２に表示されたアプリケーションに関する表示データの入力エリアがタップ操作によって指定されたかを判断する（ステップＳ１２）。
【００４６】
ステップＳ１２において、入力エリアが指定された場合、制御部１３は、入力エリアが指定されたアプリケーション（以降のステップにおいて、第１のアプリケーションと称す）に関する表示データを表示していたディスプレイが上側または下側のどちらに配置されているかを判断する（ステップＳ１３）。
【００４７】
ステップＳ１３において、第１のアプリケーションに関する表示データを表示していたディスプレイが上側に配置されていた場合は（図４の状態Ａ１参照）、制御部１３は、下側のディスプレイにソフトウェアキーボードを表示する（ステップＳ１４。図４の状態Ａ２参照）。
【００４８】
以降、制御部１３は、ソフトウェアキーボードの操作が終了したか判断し（ステップＳ１５）、終了した場合は、下側のディスプレイ上のソフトウェアキーボードの表示データの表示処理を終了する（ステップＳ１６。図４の状態Ａ３参照）。
【００４９】
一方、ステップＳ１３において、第１のアプリケーションに関する表示データを表示していたディスプレイが下側に配置されていた場合は（図５の状態Ｂ１参照）、制御部１３は、下側のディスプレイ上の第１のアプリケーションに関する表示データを一時的に上側のディスプレイに移動させて表示すると共に、下側のディスプレイにソフトウェアキーボードを表示する（ステップＳ１７。図５の状態Ｂ２参照）。
【００５０】
以降、制御部１３は、ソフトウェアキーボードの操作が終了したか判断し（ステップＳ１８）、終了した場合は、下側のディスプレイ上のソフトウェアキーボードの表示データの表示処理を終了すると共に、上側のディスプレイに移動させた第１のアプリケーションに関する表示データを元の下側のディスプレイに戻して表示する（ステップＳ１８。図５の状態Ｂ３参照）。
【００５１】
上述したように本実施形態においては、ＰＣスタイルの場合、２つのディスプレイ１２−１，１２−２のうち下側のディスプレイにソフトウェアキーボードを表示する。
【００５２】
これにより、上側のディスプレイに表示されたアプリケーションの画面は、たとえソフトウェアキーボードの操作中であっても表示状態が維持される。
【００５３】
したがって、ユーザは、上側のディスプレイに表示されたアプリケーションの画面全体を見ながら、ソフトウェアキーボードを操作して文字や記号等を入力することができる。
【００５４】
また、本実施形態においては、入力エリアが指定されたアプリケーションに関する表示データを上側のディスプレイに表示し、下側のディスプレイにソフトウェアキーボードを表示する。
【００５５】
これにより、入力エリアが指定されたアプリケーションに関する表示データが下側のディスプレイに表示されていたとしても、そのアプリケーションに関する表示データを上側のディスプレイに移動して表示することができる。
【００５６】
また、本実施形態においては、下側から上側のディスプレイに移動してアプリケーションに関する表示データを表示した場合、そのアプリケーションに関する表示データを、ソフトウェアキーボードの操作の終了後に、元の下側のディスプレイに戻して表示する。
【００５７】
これにより、ソフトウェアキーボードを操作する前後での画面のそれぞれの表示位置の変化が生じないため、ユーザは、違和感を受けることなく、情報処理端末１０の使用を継続することが可能になる。
（２）第２の実施形態
本実施形態の情報処理端末１０は、第１の実施形態と比較すると、構成自体は同様であるが、動作が異なる。すなわち、本実施形態の情報処理端末１０は、ＰＣスタイルにおいて、下側のディスプレイに表示されていたアプリケーションの画面があるにも関らず、ソフトウェアキーボードを下側のディスプレイに表示することにより、視認性が損ねられることになるアプリケーションの画面を、表示先ディスプレイを切り替えて上側のディスプレイに表示するものである。
【００５８】
図７および図８は、本実施形態の情報処理端末１０の動作の概要を説明する図である。
【００５９】
図７の状態Ｃ１は、図４の状態Ａ１と同様の状態である。
【００６０】
この状態Ｃ１で、上側のディスプレイ１２−１上の検索サイトの入力エリアＸがタップ操作によって指定されると、制御部１３は、下側のディスプレイ１２−２にソフトウェアキーボードを表示すると共に、下側のディスプレイ１２−２に表示されていたゲームの画面を縮小して上側のディスプレイ１２−１に表示する（状態Ｃ２）。このとき、上側のディスプレイ１２−１においては、ゲームの縮小画面は、所定の位置に所定のサイズで表示される。また、検索サイトの画面の上にゲームの縮小画面が重ねられた状態となっている。なお、下側のディスプレイ１２−２の状態は第１の実施形態と同様である。
【００６１】
これにより、ユーザは、ソフトウェアキーボードを表示することで見えなくなってしまったゲームの画面を継続して見ることができる。
【００６２】
以降、ソフトウェアキーボードの操作が終了した場合は、制御部１３は、下側のディスプレイ１２−２上のソフトウェアキーボードの表示データの表示処理を終了すると共に、上側のディスプレイ１２−１上のゲームの縮小表示の表示処理を終了して、ディスプレイ１２−１，１２−２をソフトウェアキーボードの表示前の元の状態Ｃ１に戻す（状態Ｃ３）。
【００６３】
一方、図８の状態Ｄ１は、図５の状態Ｂ１と同様の状態である。
【００６４】
この状態Ｄ１で、下側のディスプレイ１２−２上の検索サイトの入力エリアＸがタップ操作によって指定されると、制御部１３は、検索サイトを一時的に上側のディスプレイ１２−１に移動させて表示すると共に、下側のディスプレイ１２−２にソフトウェアキーボードを表示し、さらに、下側のディスプレイ１２−２に表示されていたゲームの画面を縮小して上側のディスプレイ１２−１に表示する（状態Ｄ２）。このとき、上側のディスプレイ１２−１においては、ゲームの縮小画面は、所定の位置に所定のサイズで表示される。また、ゲームの元の画面の上に検索サイトの画面が重ねられ、さらにその上に、ゲームの縮小画面が重ねられた状態となっている。なお、下側のディスプレイ１２−２の状態は第１の実施形態と同様である。
【００６５】
これにより、ユーザは、ソフトウェアキーボードを表示することで見えなくなってしまったゲームの画面を継続して見ることができる。
【００６６】
以降、ソフトウェアキーボードの操作が終了した場合は、制御部１３は、下側のディスプレイ１２−２上のソフトウェアキーボードの表示データの表示処理を終了すると共に、上側のディスプレイ１２−１上のゲームの縮小表示の表示処理を終了し、さらに、上側のディスプレイ１２−１に移動させた検索サイトを元の下側のディスプレイ１２−２に戻して表示して、ディスプレイ１２−１，１２−２をソフトウェアキーボードの表示前の元の状態Ｄ１に戻す（状態Ｄ３）。
【００６７】
図９は、本実施形態の情報処理端末１０の動作の流れを説明するフロー図である。
【００６８】
図９において、ステップＳ２１〜Ｓ２３までの処理は、図６のステップＳ１１〜Ｓ１３までの処理と同様である。
【００６９】
ステップＳ２３において、入力エリアが指定されたアプリケーション（以降のステップにおいて、第１のアプリケーションと称す）に関する表示データを表示していたディスプレイが上側に配置されていた場合は（図７の状態Ｃ１参照）、ステップＳ２４に進み、下側に配置されていた場合は（図８の状態Ｄ１参照）、ステップＳ２７に進む。
【００７０】
ステップＳ２４において、制御部１３は、下側のディスプレイにソフトウェアキーボードを表示すると共に、下側のディスプレイに表示されていたアプリケーション（以降のステップにおいて、第２のアプリケーションと称す）に関する表示データを縮小して上側のディスプレイに表示する（図７の状態Ｃ２参照）。
【００７１】
以降、制御部１３は、ソフトウェアキーボードの操作が終了したか判断し（ステップＳ２５）、終了した場合は、下側のディスプレイ上のソフトウェアキーボードの表示データの表示処理を終了すると共に、上側のディスプレイ上の第２のアプリケーションに関する表示データの縮小表示の表示処理を終了する（ステップＳ２６。図７の状態Ｃ３参照）。
【００７２】
一方、ステップＳ２７において、制御部１３は、下側のディスプレイに表示されていた第１のアプリケーションに関する表示データを一時的に上側のディスプレイに移動させて表示すると共に、下側のディスプレイにソフトウェアキーボードを表示し、さらに、上側のディスプレイに表示されていたアプリケーション（以降のステップにおいて、第２のアプリケーションと称す）に関する表示データを縮小して上側のディスプレイに表示する（図８の状態Ｄ２参照）。
【００７３】
以降、制御部１３は、ソフトウェアキーボードの操作が終了したか判断し（ステップＳ２８）、終了した場合は、下側のディスプレイ上のソフトウェアキーボードの表示データの表示処理を終了すると共に、上側のディスプレイ上の第２のアプリケーションに関する表示データの縮小表示の表示処理を終了し、さらに、上側のディスプレイに移動させた第１のアプリケーションに関する表示データを元の下側のディスプレイに戻して表示する（ステップＳ２９。図８の状態Ｄ３参照）。
【００７４】
上述したように本実施形態においては、ソフトウェアキーボードを表示することで見えなくなってしまったアプリケーションに関する表示データを、２つのディスプレイ１２−１，１２−２のうち上側のディスプレイに縮小表示する。
【００７５】
これにより、ユーザは、ソフトウェアキーボードを表示することで見えなくなってしまったアプリケーションの画面を継続して見ることができる。この効果は、動画や音楽を視聴するアプリケーションや、無操作でも進行するゲームのアプリケーション等、ユーザが継続して使用するアプリケーションの場合、特に有用である。
【００７６】
なお、本実施形態のその他の効果は、第１の実施形態と同様である。
【００７７】
以上、実施形態を参照して本発明を説明したが、本発明は上記実施形態に限定されるものではない。本発明の構成や詳細には、本発明の範囲内で当業者が理解し得る様々な変更をすることができる。
【００７８】
例えば、第１および第２の実施形態において、ディスプレイ１２−１，１２−２の配置は一例であり、ディスプレイ１２−１，１２−２の位置を入れ替えたＰＣスタイルの場合にも本発明は適用可能である。
【００７９】
また、第１および第２の実施形態においては、ソフトウェアキーボードを１画面全体に表示していたが、本発明はこれに限定されない。すなわち、ソフトウェアキーボードは、下側のディスプレイに表示すれば良く、１画面全体に表示する必要はない。
【００８０】
また、第１および第２の実施形態においては、英字キーのソフトウェアキーボードを表示していたが、本発明はこれに限定されない。すなわち、ソフトウェアキーボードは、任意のキーの組み合わせであれば良く、例えば、数字キーだけでも良いし、十字キー＋Ａキー＋Ｂキー等でも良い。
【００８１】
また、第２の実施形態においては、ソフトウェアキーボードを表示することで見えなくなってしまったアプリケーション（第２のアプリケーション）に関する表示データを上側のディスプレイに縮小表示する際に、第２のアプリケーションに関する表示データを所定の位置に所定のサイズで表示していたが、本発明はこれに限定されない。すなわち、第２のアプリケーションに関する表示データの位置およびサイズは、ユーザのドラッグ操作等に応じて変更しても良い。
【００８２】
また、第２の実施形態においては、第２のアプリケーションに関する表示データを、その種類に関わらず、上側のディスプレイに縮小表示していたが、本発明はこれに限定されない。すなわち、第２のアプリケーションの種類に応じて、縮小表示をするか否かを決定しても良い。例えば、縮小表示をする第２のアプリケーションの種類を、動画や音楽を視聴するアプリケーションや、無操作でも進行するゲームのアプリケーション等のユーザが継続して使用するアプリケーションと予め決めておき、第２のアプリケーションが予め決められた種類であれば、縮小表示をすることが考えられる。
【００８３】
また、第１および第２の実施形態においては、下側のディスプレイ上のアプリケーション（第１のアプリケーション）に関する表示データを一時的に上側のディスプレイに移動させて表示した場合、ソフトウェアキーボードの操作が終了すると、第１のアプリケーションに関する表示データを元の下側のディスプレイに戻していたが、本発明はこれに限定されない。
【００８４】
第１のアプリケーションに関する表示データを元の下側のディスプレイに戻すことで、ソフトウェアキーボードを操作する前後での画面それぞれの表示位置の変化が生じないという利点があるが、第１および第２のアプリケーションに関する表示データを表示する際の輝度差が大きい場合、第１のアプリケーションに関する表示データを元の下側のディスプレイに戻すことで、画面のちらつきが大きくなることが懸念される。
【００８５】
そこで、本発明においては、第１および第２のアプリケーションに関する表示データを表示する際の輝度差が所定の閾値以下である場合は、画面のちらつきが少ないと判断して、第１のアプリケーションに関する表示データを元の下側のディスプレイに戻し、また、輝度差が所定の閾値よりも大きい場合は、画面のちらつきが少ないと判断して、第１のアプリケーションに関する表示データを元の下側のディスプレイに戻さないこととしても良い。
【符号の説明】
【００８６】
１０    情報処理端末
１１−１，１１−２    筐体
１２−１，１２−２    ディスプレイ
１３    制御部
１４    姿勢センサ
【図１】
2013069203.tif 000003
【図２】
2013069203.tif 000004
【図３】
2013069203.tif 000005
【図４】
2013069203.tif 000006
【図５】
2013069203.tif 000007
【図６】
2013069203.tif 000008
【図７】
2013069203.tif 000009
【図８】
2013069203.tif 000010
【図９】
2013069203.tif 000011